(57)【要約】【課題】  ブザーを回路基板の裏面に実装しつつ、運転席にて所定の音圧レベルのブザー音が得られるような表示装置を提供する。【解決手段】  プリント基板３の貫通孔３１、ケーシングの貫通孔４１、見返し板７の貫通孔７１およびプロジェクタ９の凹部９１等から形成される伝音路Ｂを介して、圧電ブザー５の放音孔５１をコンビネーションメータ１外部の車室内空間と連通させ、且つ貫通孔３１および貫通孔４１を囲むようにリヤカバー６の伝音筒６１およびケーシング４の伝音筒４２を設けている。これにより、圧電ブザー５をプリント基板３の裏面に実装しつつ圧電ブザー５からの音波をコンビネーションメータ１の前面から出射させて、運転席にて所定の音圧レベルのブザー音が得られるようなコンビネーションメータ１を提供することができる。【選択図】        図２
2007003630.tif 000002
【特許請求の範囲】
【請求項１】
文字盤と、
前記文字盤の背面側に配置されたプリント基板と、
前記プリント基板の裏面に実装された発音体と、
前記文字盤および前記プリント基板を収容保持するケーシングとを備える表示装置であって、
前記プリント基板の前記発音体近傍に前記プリント基板の裏側空間と表側空間とを連通するように設けられた第１貫通孔と、
前記発音体および前記第１貫通孔を覆うように配置され且つ前記発音体に対向する底面を有する第１筒部と、
前記ケーシング及び前記文字盤の少なくとも一方に前記第１貫通孔と概略対向して、前記プリント基板の表側空間と前記文字盤の表側空間とを連通するように設けられた第２貫通孔と、
前記第１貫通孔および前記第２貫通孔を覆うように配置された第２筒部と、を備えることを特徴とする表示装置。
【請求項２】
前記第２筒部は前記ケーシングに一体的に形成されることを特徴とする請求項１に記載の表示装置。
【請求項３】
前記ケーシングの背面側に前記プリント基板を覆うように配置されるリヤカバーを備え、
前記第１筒部は前記リヤカバーに一体的に形成されることを特徴とする請求項１または請求項２に記載の表示装置。
【請求項４】
前記文字盤の前面側に配置された見返し板と、
前記見返し板に前記第２貫通孔に対向し且つ前記見返し板の裏側空間と前記見返し板の外側とを連通するように設けられた第３貫通孔とを備えることを特徴とする請求項１ないし請求項３のいずれかに記載の表示装置。
【請求項５】
前記見返し板の外側に配置された前記文字盤上に虚像を結像させるための画像投影部材を備え、
前記見返し板および前記画像投影部材間に前記第３貫通孔と外部とを連通する放音通路を形成したことを特徴とする請求項４に記載の表示装置。
【発明の詳細な説明】
【技術分野】
【０００１】
本発明は、プリント基板に実装されたブザーを吹鳴させる構成とした表示装置に関するものであり、車両用計器に用いて好適である。
【背景技術】
【０００２】
従来の表示装置としては、たとえば、自動車用計器において、文字盤の背面側に回路基板を固定し、回路基板の裏面（文字盤と反対側の面）にブザーを実装し、これらが計器ハウジングにより被装されている構成としたものがある（特許文献１参照）。
【０００３】
通常、ブザーの放音孔はブザーの実装ピンと反対側、つまり回路基板と反対側に設けられている。この表示装置において、計器ハウジングの背面には、ブザーの背面中心部の放音孔に対応した部分に共鳴孔が設けられており、ブザーの吹鳴音は、この共鳴孔を経て計器ハウジング外へ伝播される。
【０００４】
自動車用計器は、一般には、運転席前方にインストルメントパネル内に設置されている。計器ハウジングの背面から自動車用計器外へ伝播されたブザーの吹鳴音は、インストルメントパネル内空間を経て自動車用計器の前面側、すなわち運転席側へ伝播され運転者の耳に到達する。
【特許文献１】実用新案登録第３０９４０７３号公報
【発明の開示】
【発明が解決しようとする課題】
【０００５】
近年、自動車用計器に表示される情報の増加や、インストルメントパネル内に設置される空調装置の高機能化にともない、自動車用計器は、インストルメントパネル内において他の装置、たとえば空調装置等とより近接して配置され、且つその周囲を他の機器に取り囲まれるようになってきた。
【０００６】
このため、計器ハウジングの背面から自動車用計器外へ伝播されたブザー音がインストルメントパネル外へ伝播し難くなり、したがって、ブザー音を運転者が聴き取り難いという問題が生じている。
【０００７】
この問題の解決方法として、たとえば、ブザーを回路基板の表側（文字盤側、言い換えると運転席側）に実装して、ブザーの放音孔を運転者側に向けることが考えられる。
【０００８】
ところで、回路基板の文字盤側には、文字盤照明用の発光ダイオードをはじめとして多数の電子素子が実装されている。ここに、ブザーのような大型部品を実装するのはスペース的に困難であり、また、回路基板として多層構造基盤を採用する必要があり、自動車用計器のコストが上昇してしまう。
【０００９】
本発明は、上記の問題点に鑑みなされたものであり、ブザーを回路基板の裏面に実装しつつ、運転席にて所定の音圧レベルのブザー音が得られるような表示装置を提供することを目的とする。
【課題を解決するための手段】
【００１０】
本発明は上記目的を達成する為、以下の技術的手段を採用する。
【００１１】
本発明の請求項１に記載の表示装置は、文字盤と、文字盤の背面側に配置されたプリント基板と、プリント基板の裏面に実装された発音体と、文字盤およびプリント基板を収容保持するケーシングとを備える表示装置であって、プリント基板の発音体近傍にプリント基板の裏側空間と表側空間とを連通するように設けられた第１貫通孔と、発音体および第１貫通孔を覆うように配置され且つ発音体に対向する底面を有する第１筒部と、ケーシング及び文字盤の少なくとも一方に第１貫通孔と概略対向して、プリント基板の表側空間と文字盤の表側空間とを連通するように設けられた第２貫通孔と、第１貫通孔および第２貫通孔を覆うように配置された第２筒部と、を備えることを特徴としている。
【００１２】
上述の構成においては、発音体が配置される空間、すなわち発音体が発する音波が最初に伝播される空間が、第１貫通孔および第２貫通孔を介して、文字盤の表面側空間に連通しているので、発音体から発射された音波は文字盤の表面側空間に伝播することができる。
【００１３】
第１筒部は、その底部で発音体から発射された音波をプリント基板側に反射するとともに、発音体から発射された音波がプリント基板裏側の空間全域へ伝播し減衰してしまうことを阻止している。すなわち、第１筒部を設けたことにより、発音体から発射された音波を高効率でプリント基板の表面側空間へ伝播させることができる。
【００１４】
第２筒部は、その内壁で第１貫通孔からプリント基板の表面側空間に伝播して来た発音体からの音波を反射させることで、発音体からの音波がプリント基板表側の空間全域へ伝播し減衰してしまうことを阻止している。すなわち、第２筒部により、発音体から発射された音波を高効率で文字盤の第２貫通孔から文字盤の表面側空間へ伝播させることができる。
【００１５】
以上により、本発明の請求項１に記載の表示装置では、プリント基板の裏側に配置された発音体が発する音波を高効率で文字盤の表面側空間へ伝播させることができる。文字盤の表面側空間へ伝播した音波は、文字盤の前面側に配置された薄板からなる透明カバーを介して運転者に向かって伝播する。したがって、発音体を回路基板の裏面に実装しつつ、運転席にて所定の音圧レベルの発音体からの音が得られるような表示装置を提供することできる。
【００１６】
本発明の請求項２に記載の表示装置では、第２筒部はケーシングに一体的に形成されることを特徴としている。
【００１７】
これにより、表示装置の部品点数および組付け工数を低減できる。また、第１貫通孔および第２貫通孔と第２筒部との位置関係精度高めることができる。言い換えると、第１貫通孔および第２貫通孔を確実に第２筒部内に位置させることができる。
【００１８】
本発明の請求項３に記載の表示装置では、ケーシングの背面側にプリント基板を覆うように配置されるリヤカバーを備え、第１筒部はリヤカバーに一体的に形成されることを特徴としている。
【００１９】
これにより、表示装置の部品点数および組付け工数を低減できる。また、発音体および第１貫通孔と第１筒部との位置関係精度高めることができる。言い換えると、発音体および第１貫通孔を確実に第１筒部内に位置させることができる。
【００２０】
本発明の請求項４に記載の表示装置では、文字盤の前面側に配置された見返し板と、見返し板に第２貫通孔に対向し且つ見返し板の裏側空間と見返し板の外側とを連通するように設けられた第３貫通孔とを備えることを特徴としている。
【００２１】
一般に、見返し板は、文字盤の輪郭を明瞭に際立たせて表示装置の見映えを整えるためのものであり、見返し板の外側はすなわち表示装置の外側である。したがって、第３貫通孔により見返し板の裏側空間、すなわち文字盤の表面側空間が表示装置の外側空間と連通しているので、プリント基板の裏側に実装された発音体が発する音を高効率で表示装置の前方、つまり運転席へ伝播させることができる。
【００２２】
これにより、発音体を回路基板の裏面に実装しつつ、運転席にて所定の音圧レベルの発音体からの音が得られるような表示装置を提供することができる。
【００２３】
本発明の請求項５に記載の表示装置では、見返し板の外側に配置された文字盤上に虚像を結像させるための画像投影部材を備え、見返し板および画像投影部材間に第３貫通孔と外部とを連通する放音通路を形成したことを特徴としている。
【００２４】
これにより、見返し板の外側に画像投影部材が覆いかぶさるように配置された構成の表示装置においても、文字盤の表面側空間に伝播した発音体からの音波を表示装置外部、つまり運転席へ向けて伝播させることができる。
【発明を実施するための最良の形態】
【００２５】
以下、本発明による表示装置を、自動車に搭載されるコンビネーションメータ１に適用した場合を例に図面に基づいて説明する。
【００２６】
図１は、本発明の一実施形態によるコンビネーションメータ１の部分正面図であり、当該自動車の走行速度を表示する速度計Ａ部を示す。
【００２７】
図２は、本発明の一実施形態によるコンビネーションメータ１の断面図であり、図１中のＩＩ−ＩＩ線断面図である。図２において、左側が運転席側であり、コンビネーションメータ１は、左方から視認される。
【００２８】
図３は、図２中のＩＩＩ矢視図である。
【００２９】
コンビネーションメータ１は、自動車の運転席前方のインストルメントパネル１０内に運転者から視認可能に配設され、走行速度をはじめ自動車に関する各種情報を表示するものである。
【００３０】
以下、本発明の一実施形態によるコンビネーションメータ１の構成について説明する。
【００３１】
文字盤２は、透光性材質、たとえば透明なポリカーボネート樹脂あるいはアクリル樹脂等の薄板から形成されている。また、文字盤２には、図１に示すように、速度計Ａの目盛２１、数字２２および文字２３が形成されている。目盛２１、数字２２および文字２３は、文字盤２の表面（図２において左側の面）あるいは裏面（図２において右側の面）に印刷あるいはホットスタンプ等を施すことにより形成されている。すなわち、目盛２１、数字２２および文字２３以外の部分に不透光性着色層あるいは半透光性着色層を設けると共に、数字２１を透明なままとする、あるいは半透光性着色層を設ける等の処理を施してある。本発明の一実施形態によるコンビネーションメータ１においては、目盛２１、数字２２および文字２３は半透光性の黄色に、目盛２１、数字２２および文字２３以外の部分は半透光性の濃青色にそれぞれ着色されている。したがって、後述する、文字盤２の裏側に配置される発光ダイオード１１が点灯されると、それが発する光により文字盤２は透過照明されて、濃青色の背景中に目盛２１、数字２２および文字２３が黄色で発光表示される。
【００３２】
指針１２は、ムーブメント（図示せず）の回転軸（図示せず）に固定されている。ムーブメントは、たとえばステッピングモータ、あるいは交差コイル式回転機等の電気アクチュエータからなる。ムーブメントは、算出された走行速度に基づいて駆動されてシャフトを回転させ、指針１２が文字盤２上で走行速度を指示する。指針１２は、透光性材料、たとえばアクリル樹脂等により形成され、プリント基板３上に実装される発光ダイオード（図示せず）が発する光により発光表示される。
【００３３】
文字盤２の背面側（図２において右側）には、図２に示すように、プリント基板３が配置されている。プリント基板３は、たとえばガラスエポキシ基板等からなり、コンビネーションメータ１の電気回路部を形成している。プリント基板３には、文字盤２側（図２において左側）の表面に、電気導体（たとえば銅箔）設けられて電気回路を形成している。
【００３４】
プリント基板３には、図２に示すように、文字盤２を透過照明するための光源である発光ダイオード１１が実装されている。プリント基板３には、上述した指針１２を回転させるムーブメント（図示せず）も実装されている。
【００３５】
プリント基板３には、図２に示すように、発音体としての圧電ブザー５が実装されている。圧電ブザー５は、圧電素子の薄板と金属あるいは樹脂の薄板とを張り合わせて振動板（図示せず）を形成するとともに、圧電素子に電圧を印加して振動板を振動させて音波を発生するものである。圧電素子としては、たとえばチタン酸ジルコン酸鉛（ＰＺＴ）の薄板が用いられている。圧電素子の表裏両面に電圧が印加され且つ電圧の極性が切り替えられると、圧電素子は伸縮しそれに応じて振動板が振動する。振動板は円形に形成され、したがって圧電ブザー５の形状も円柱状となっている。圧電ブザー５は、圧電素子への電極として２本のリードピン５２を備え、両リードピン５２は、図２に示すように、プリント基板の電気導体（たとえば銅箔）にはんだ付けにより接続されている。また、圧電ブザー５には、図３に示すように、振動板が振動して発生した音波を外部へ放射するための放音孔５１が設けられている。
【００３６】
圧電ブザー５は、当該自動車の走行中において、運転者が何らかの処置を講ずべき事態が発生し図示しない各種センサーによりそれが検知されたときに電気駆動され、それにより音波を発して運転者に注意を促す機能を果たしている。
【００３７】
プリント基板３には、図２に示すように、圧電ブザー５の近傍に、第１貫通孔である貫通孔３１が設けられている。貫通孔３１は、図３に示すように、圧電ブザー５の周囲に圧電ブザー５の外形と同心状且つ等角度間隔で４個設けられている。
【００３８】
以上説明した、文字盤２およびプリント基板３は、図２に示すように、ケーシング４に収容保持されている。
【００３９】
ケーシング４の背面側（図２において右側）には、プリント基板３を覆うように、言い換えると、ケーシング４の背後の開口部を覆うように、リヤカバー６が配置されている。
【００４０】
文字盤２の前面側（図２において左側）、すなわちケーシング４の前面側には、図２に示すように、見返し板７が配置されている。見返し板７の前面側（図２において左側）には、図２に示すように、透明カバー８が配置されている。透明カバー８は、無色透明のポリカーボネート樹脂あるいはアクリル樹脂等から板状に形成されている。この透明カバー８と上述したリヤカバー６とによりケーシング４内への異物（埃、水滴等）の進入が阻止されて、ケーシング４内部が清浄に維持される。
【００４１】
リヤカバー６は、樹脂材料から形成されている。リヤカバー６には、圧電ブザー５および貫通孔３１を覆い且つ圧電ブザー５に対向する底面６１ａを有する第１筒部としての伝音筒６１が設けられている。伝音筒６１は、円筒状に形成されるとともに、図３中に二点鎖線で示すように、圧電ブザー５と略同心状に配置されている。伝音筒６１は、リヤカバー６と一体的に形成されている。すなわち、リヤカバー６を樹脂成形するときに型によりリヤカバー６と一体に作られる。リヤカバー６がケーシング４に固定されると、伝音筒６１の開口端部、すなわちプリント基板３側端部とプリント基板３との間には、図２に示すように、わずかな隙間が形成される。
【００４２】
ケーシング４は、樹脂材料から形成されている。ケーシング４は、その文字盤２を支持する壁にプリント基板３の貫通孔３１と概略対抗する、言い換えるとその軸方向が貫通孔３１の軸方向と平行である第２貫通孔である貫通孔４１を備えている。貫通孔４１は、プリント基板３の表側（図２において左側）空間と文字盤２の表側（図２において左側）空間とを連通している。貫通孔４１は、その直径寸法が貫通孔３１と同一に設定されるとともに、個数も貫通孔３１と同じ４個設けられている。ケーシング４には、プリント基板３の貫通孔３１およびケーシング４の貫通孔４１とを覆う第２筒部である伝音筒４２が設けられている。伝音筒４２は、円筒状に形成されるとともに、図２に示すように、その直径が伝音筒６１と略同一且つ伝音筒６１と同軸状に配置されている。伝音筒４２は、ケーシング４と一体的に形成されている。すなわち、ケーシング４を樹脂成形するときに型によりケーシング４と一体に作られる。プリント基板３がケーシング４に固定されると、伝音筒４２の開口端部、すなわちプリント基板３側端部とプリント基板３との間には、図２に示すように、わずかな隙間が形成される。なお、本発明の一実施形態によるコンビネーションメータ１においては、文字盤２は、図２に示すように、貫通孔４１に懸からない、つまり貫通孔４１を塞がないような形状に設定されている。
【００４３】
見返し板７は、樹脂材料から形成されている。見返し板７は、その平面形状がケーシング４の平面形状と概略同一且つ額縁状に形成され、文字盤２の外周部に配置されている。見返し板７は、文字盤２の輪郭を明瞭に際立たせてコンビネーションメータ１の見映えを整えている。見返し板７は、ケーシング４と当接する壁にケーシング４の貫通孔４１と概略対向する、言い換えるとその軸方向が貫通孔４１の軸方向と平行である第３貫通孔である貫通孔７１を備えている。貫通孔７１は、見返し板７の裏側（図２において右側）空間、と見返し板７の外側（図２において左側）空間、言い換えると当該自動車の車室内空間とを連通している。貫通孔７１は、その直径寸法が貫通孔３１と同一に設定されるとともに、個数も貫通孔３１と同じ４個設けられている。
【００４４】
見返し板７の外側、すなわち図２に示すように、見返し板７の上方には、文字盤２上に虚像を結像させるための画像投影部材であるプロジェクタ９が配置されている。プロジェクタ９は、液晶表示器（図示せず）、液晶表示器の背後に設置されたバックライト（図示せず）および液晶パネルの前面に配置されたレンズ（図示せず）等から構成されている。液晶パネル上に形成された画像の透過光（図示せず）が透明カバー８に照射され、この透過光が透明カバー８上で反射して、文字盤２上に液晶パネル上に形成された画像の虚像が結像されて視認される。本発明の一実施形態によるコンビネーションメータ１においては、この虚像は、図１において二点鎖線で示す円形の内側領域に結像される。画像としては、速度計Ａの背景としての装飾模様（図示せず）、あるいは何らかの計器等である。プロジェクタ９は、その機能上、見返し板７および透明カバー８上に庇状に張り出すように配置され、ケーシング４に固定されている。
【００４５】
プロジェクタ９には、見返し板７に当接する面に、図２に示すような凹部９１が設けられている。凹部９１は、見返し板７に設けられた４個の貫通孔７１に臨んで、すなわち４個の貫通孔７１すべてが凹部９１内に開口するように形成されている。これにより、凹部９１、見返し板７の上面および透明カバー８とのより形成される通路は、貫通孔７１とコンビネーションメータ１の外部とを連通する放音通路である伝音路Ｂを構成する。
【００４６】
プロジェクタ９の前方および上方は、図２に示すように、インストルメントパネル１０に覆われており、プロジェクタ９を運転者の視線から遮って、コンビネーションメータ１の見映えを良好なものとしている。
【００４７】
以上説明したように、本発明の一実施形態によるコンビネーションメータ１においては、圧電ブザー５の放音孔５１は、貫通孔３１、貫通孔４１、貫通孔７１および伝音路Ｂを介して、コンビネーションメータ１外部、すなわち自動車の車室内空間と連通している。
【００４８】
次に、以上のように構成した、本発明の一実施形態によるコンビネーションメータ１の特徴、すなわち、圧電ブザー５の放音孔５１を、コンビネーションメータ１外部の車室内空間と連通した構成の作用効果について、おもに、圧電ブザー５の音の伝播状態について説明する。
【００４９】
従来の表示装置においては、ケーシングあるいはリヤカバーの裏側、つまり運転席と反対側に開口部を設け、ブザーが発する音波を一端インストルメントパネル内に伝播させそこで反射させて運転席側へ伝播させていた。しかしながら、インストルメントパネル内に設置される各種機器が増加すると、インストルメントパネル内にブザーが発する音波の伝播経路を確保することが困難となってきた。
【００５０】
これに対して、本発明の一実施形態によるコンビネーションメータ１においては、プリント基板３の貫通孔３１、ケーシングの貫通孔４１、見返し板７の貫通孔７１およびプロジェクタ９の凹部９１等から形成される伝音路Ｂを介して、圧電ブザー５の放音孔５１をコンビネーションメータ１外部の車室内空間と連通させ、且つ貫通孔３１および貫通孔４１を囲むようにリヤカバー６の伝音筒６１およびケーシング４の伝音筒４２を設けている。
【００５１】
このような構成により、圧電ブザー５の放音孔５１から発せられた音波は、図２中の矢印で示すように、伝音筒６１の底面６１ａおよび伝音筒６１の内壁で反射して、コンビネーションメータ１の前方に進行し、貫通孔３１、貫通孔４１、貫通孔７１および伝音路Ｂを経て運転席に向けて進行する。
【００５２】
また、伝音筒６１および伝音筒４２を設けて圧電ブザー５が発する音波を伝音筒６１および伝音筒４２内でのみ反響させることにより、圧電ブザー５から発せられた音波が、ケーシング４内部に広く伝播して各部で反射を繰り返して減衰してしまうことを防止することができる。すなわち、圧電ブザー５が発する音波を高効率でコンビネーションメータ１前方へ伝播させることができる。
【００５３】
したがって、本発明の一実施形態によるコンビネーションメータ１においては、圧電ブザー５をプリント基板３の裏面に実装する構成をとりつつ、運転席において所定の音圧レベルの圧電ブザー５音を得ることができる。
【００５４】
なお、以上説明した本発明の一実施形態によるコンビネーションメータ１においては、伝音筒６１および伝音筒４２は、その位置関係および形状を、あたかも一本の筒を形成するかの如くに設定している。これにより、圧電ブザー５が発する音波の伝達効率を高めることができる。また、伝音筒６１の開口側端部とプリント基板３との隙間、および伝音筒４２の開口側端部とプリント基板３との隙間は、圧電ブザー５が発する音波の減衰を抑制するためにはできるだけ小さいことが望ましい。一方、ケーシング４へのプリント基板３およびリヤカバー６の組付け作業性向上の観点からは、ある程度の隙間が必要である。そこで、上述の隙間の大きさは、良好な組付け作業性を確保できる範囲で最小となるように設定されている。
【００５５】
図４に、本発明の一実施形態によるコンビネーションメータ１の変形例における部分断面図を示す。
【００５６】
この変形例では、貫通孔３１を圧電ブザー５の周囲に設けた４個に加えて、図４に示すように、プリント基板３の圧電ブザー５背面の略中央部にも貫通孔３１を１個設けている。
【００５７】
圧電ブザー５の振動板（図示せず）が振動すると、音波は主に放音孔５１から発射されるが、音波の一部は、圧電ブザー５の背面からも放射されている。
【００５８】
そこで、本発明の一実施形態によるコンビネーションメータ１の変形例のように、プリント基板３の圧電ブザー５背面の略中央部にも貫通孔３１を設ければ、プリント基板３と文字盤２との間の空間に伝播される圧電ブザー５の振動板（図示せず）による音波の音圧レベルを高めることができる。すなわち、圧電ブザー５への入力電力が同一の場合、運転席付近における圧電ブザー５からの音圧レベルをより高めることができる。したがって、運転席付近において圧電ブザー５からの音圧レベルの所定値とするための圧電ブザー５への入力電力を小さくして、省電力化を図ることができる。
【００５９】
なお、プリント基板３の圧電ブザー５背面の略中央部に追加する貫通孔３１を直径寸法は、他の４個の貫通孔３１の直径寸法と同一でもよいし、異なっていてもよい。
【００６０】
なお、以上説明した、本発明の一実施形態によるコンビネーションメータ１およびその変形例においては、発音体として、圧電素子を利用した圧電ブザー５を用いているがこのタイプに限定する必要は無く、他のタイプの発音体であってもよい。たとえば、電磁式ブザー、あるいは小形スピーカ等であってもよい。
【００６１】
また、以上説明した、本発明の一実施形態によるコンビネーションメータ１においては、貫通孔３１、貫通孔４１および貫通孔７１の個数を４個としているが、４個に限る必要はなく、いくつであってもよい。また、貫通孔３１、貫通孔４１および貫通孔７１の個数を全て同一にする必要はなく、それぞれが異なっていてもよい。その場合、貫通孔３１、貫通孔４１および貫通孔７１ごとの断面積の総和がほぼ等しくなるように設定すれば、音波の伝播効率を高めることができる。
【００６２】
また、以上説明した、本発明の一実施形態によるコンビネーションメータ１においては、プロジェクタ９を備えているが、プロジェクタの無い構成としてもよい。その場合、圧電ブザー５からの音波は、見返し板７の貫通孔７１から直接運転席に向かって出射される。
【００６３】
また、以上説明した、本発明の一実施形態によるコンビネーションメータ１およびその変形例においては、コンビネーションメータ１が備える計器として、速度計Ａを示しているが、コンビネーションメータ１は、速度計Ａのみを備えている必要はなく、他の計器、たとえば、エンジンの回転速度を指示するタコメータ、燃料計、水温計、バッテリ電圧計、時計等の少なくともひとつを追加してもよい。
【００６４】
また、以上説明した、本発明の一実施形態および変形例は、本発明による表示装置を自動車のコンビネーションメータ１に適用した場合を例に説明したが、コンビネーションメータ１以外の用途のものに適用してもよい。すなわち、自動車・車両以外の各種民生用機器の操作パネル部等の用途に適用してもよい。
【図面の簡単な説明】
【００６５】
【図１】本発明の一実施形態によるコンビネーションメータ１の部分正面図である。
【図２】図1中のＩＩ−ＩＩ線断面図である。
【図３】図２中のＩＩＩ矢視図である。
【図４】本発明の一実施形態によるコンビネーションメータ１の変形例による部分断面図であり、図２に相当する。
【符号の説明】
【００６６】
１    コンビネーションメータ（表示装置）
２    文字盤
３    プリント基板
３１    貫通孔（第１貫通孔）
３２    貫通孔
４    ケーシング
４１    貫通孔（第２貫通孔）
４２    伝音筒（第２筒部）
５    ブザー（発音体）
５１    放音孔
５２    リードピン
６    リヤカバー
６１    伝音筒（第１筒部）
６１ａ    底面
７    見返し板
７１    貫通孔（第３貫通孔）
８    透明カバー
９    画像投影部材
９１    凹部
１０    インストルメントパネル
１１    発光ダイオード
１２    指針
Ａ    速度計
Ｂ    伝音路（放音通路）
【図１】
2007003630.tif 000003
【図２】
2007003630.tif 000004
【図３】
2007003630.tif 000005
【図４】
2007003630.tif 000006